(57)【要約】【課題】配光を制御するプリズムが連続するように構成された光源ユニットのカバー、光源ユニット及び照明器具を提供する。【解決手段】この発明に係るカバー１０２は、ベースカバー１０４に形成された第１制御凸部１０４ａ、１０４ｂと、端部カバー１０６に形成された第２制御凸部１０６ａが、ベースカバー１０４と端部カバー１０６を嵌合させたときに第１プリズム１０４ａ、１０４ｂと第２プリズム１０６ａの凹凸形状が連続するように形成されることにより、配光特性に連続性を持たせる。【選択図】          図１２
2019197693.tif 000002
【特許請求の範囲】
【請求項１】
光源から出射される光の光軸上に配置されるとともに、前記光の出射方向の少なくとも前記光軸に平行な第１の垂直面を備え、前記光の配光を制御する第１制御凸部が前記第１の垂直面に形成されたベースカバーと、
前記ベースカバーの両端を覆い、前記光の配光を制御する第２制御凸部が形成された端部カバーと、
を備え、
前記第１制御凸部及び前記第２制御凸部は、前記ベースカバーと前記端部カバーとを嵌合させると凹凸形状が連続する形状となるように形成されることを特徴とするカバー。
【請求項２】
前記第１制御凸部は、前記第１の垂直面の前記光の入射面の前記光の入射面に前記両端まで水平方向に連続して形成され、
前記第２制御凸部は前記光の入射面に水平方向に連続して形成されるとともに、前記第１制御凸部の突出形状に合わせ前記端部カバーの水平方向端部に前記第２制御凸部を形成しない領域を設けたことを特徴とする請求項１に記載のカバー。
【請求項３】
前記ベースカバーは長尺状であり、
前記第１制御凸部が前記光の入射面に形成された前記第１の垂直面及び前記第１の垂直面に対向して設けられた第２の垂直面の両端に、平面視で長手方向と角度をなす第１の突合せ面が形成されるとともに、
前記第２制御凸部が前記光の入射面に形成された前記端部カバーの前記両端に、平面視で短手方向と角度をなす第２の突合せ面が形成されることにより、
前記ベースカバー及び前記端部カバーを嵌合させると前記第１の突合せ面と前記第２の突合せ面とが当接することを特徴とする請求項１に記載のカバー。
【請求項４】
前記ベースカバー及び前記端部カバーに挟持されることによって、前記ベースカバーと前記端部カバーを相互に連結する把持部材を備え、
前記第１制御凸部が前記光の入射面に形成された前記第１の垂直面及び前記第２の垂直面の水平方向の前記両端に第１の突合せ面が形成され、
前記第２制御凸部が前記光の入射面に形成された前記端部カバーの水平方向の前記両端に第２の突合せ面が形成され、
前記把持部材は、前記光の入射面に前記光の配光を制御する第３制御凸部が形成されるとともに、水平方向の両端部に第３の突合せ面が形成され、
前記把持部材を挟持した前記ベースカバーと前記端部カバーとの連結状態において、前記第１制御凸部と前記第３制御凸部との凹凸形状が連続するとともに、前記第３制御凸部と前記第２制御凸部との凹凸形状が連続することを特徴とする請求項１に記載のカバー。
【請求項５】
光源から出射される光の光軸上に配置されるとともに、前記光の出射方向の少なくとも前記光軸に平行な第１の垂直面及び前記第１の垂直面に対向する第２の垂直面を備え、前記光の配光を制御する第１制御凸部が前記第１の垂直面の前記光の出射面及び前記第２の垂直面の前記光の出射面に形成されたベースカバーと、
前記ベースカバーの両端を覆い、前記光の配光を制御する第２制御凸部が前記光の出射面に形成された端部カバーと、
を備え、
前記第１制御凸部及び前記第２制御凸部は、前記ベースカバーと前記端部カバーとを嵌合させると凹凸形状が連続する形状となるように形成されることを特徴とするカバー。
【請求項６】
光源から出射される光の出射方向に配置され前記光の光軸に平行な第１の垂直面を備え、前記光の配光を制御する第１制御凸部が形成されるとともに、水平方向の両端に第１の突合せ面が形成された少なくとも１つ以上の第１のカバー部材と、
前記光の前記出射方向に配置され前記第１の垂直面と異なる第２の垂直面を備え、前記光の配光を制御する第２制御凸部が形成されるとともに、水平方向の両端に第２の突合せ面が形成された少なくとも１つ以上の第２のカバー部材と、
を備え、
前記第１のカバー部材と前記第２のカバー部材とを連結させると前記第１の突合せ面と前記第２の突合せ面とが当接するとともに、前記第１制御凸部及び前記第２制御凸部は
凹凸形状が連続するように形成されることを特徴とするカバー。
【請求項７】
光源から出射される光の出射方向に配置され前記光の光軸に平行な第１の垂直面を備え、前記光の配光を制御する第１制御凸部が形成されるとともに、水平方向の両端に第１の突合せ面が形成された少なくとも１つ以上の第１のカバー部材と、
前記光の前記出射方向に配置され前記第１の垂直面と異なる第２の垂直面を備え、前記光の配光を制御する第２制御凸部が形成されるとともに、水平方向の両端に第２の突合せ面が形成された少なくとも１つ以上の第２のカバー部材と、
前記第１のカバー部材及び前記第２のカバー部材に挟持されることによって、前記第１のカバー部材と前記第２のカバー部材を相互に連結する少なくとも１つ以上の把持部材と、
を備え、
前記第１制御凸部が形成された前記第１の垂直面の水平方向の両端に第１の突合せ面が形成され、
前記第２制御凸部が形成された前記第２の垂直面の水平方向の両端に第２の突合せ面が形成され、
前記把持部材は、垂直方向を覆う面に前記光の配光を制御する第３制御凸部が形成されるとともに、水平方向の両端部に第３の突合せ面が形成され、
前記把持部材を挟持するように前記第１のカバー部材と前記第２のカバー部材とを連結させると、前記第１の突合せ面と前記第３の突合せ面とが当接するとともに前記第３の突合せ面と前記第２の突合せ面とが当接し、前記第１制御凸部と前記第３制御凸部との凹凸形状が連続するように形成されるとともに前記前記第３制御凸部と前記第２制御凸部との凹凸形状が連続するように形成されることを特徴とするカバー。
【請求項８】
請求項１から請求項７のいずれか１項に記載のカバーを有する光源ユニット。
【請求項９】
請求項８に記載の光源ユニットが取り付けられた本体ユニットを備えた照明器具。
【発明の詳細な説明】
【技術分野】
【０００１】
この発明は、光源から出射された光の進行方向を制御するカバー、光源ユニット及び照明器具に関するものである。
【背景技術】
【０００２】
従来、列状に配置されたＬＥＤ光源を透光性を有するプリズム加工が施された拡散カバーで覆った、天井などに取り付けられて屋内を照明する照明器具が知られている。
【０００３】
特許文献１には、ＬＥＤ光源を覆う断面が略樋形状の直線状のカバーが配設された照明器具が記載されている。特許文献１のカバーは、ＬＥＤが配列された方向に対し直交する幅方向の両端部に、ＬＥＤから出射された光を側方及び取付面側に配光する配光制御部であるプリズムを有している。
【先行技術文献】
【特許文献】
【０００４】
【特許文献１】特開２０１５−１１８９４号公報
【発明の概要】
【発明が解決しようとする課題】
【０００５】
特許文献１に記載の照明器具には、カバー長手方向の両端縁部には、プリズムが形成されていない。そのため、断面が半円形、半楕円形あるいはドーム状のカバーの照射面から出射される光と長手方向の両端縁部から出射される光に統一感がない。
【０００６】
統一感を出すためには、長手方向の両側縁部から出射される光を配光制御する必要があり、カバーの長手方向の両端面にもプリズム加工を形成した端部カバーを長手方向カバーに設ける構成が考えられる。このように構成した場合、長手方向カバーに設けたプリズム加工と端部カバーに設けたプリズム加工が物理的に干渉しないよう、端部カバーの両端にプリズムを形成しない領域を設ける必要がある。このとき、長手方向カバーに設けたプリズム加工と端部カバーに設けたプリズム加工との連続性が損なわれ、カバーから出射される光の意匠性を損ねるおそれがある。
【０００７】
本発明は、上述のような課題を解決するためになされたもので、長手方向カバーに設けたプリズム加工と端部カバーに設けたプリズム加工が物理的に干渉せず且つ成形しやすい形状でありながら、長手方向カバーのプリズム加工と端部カバーのプリズム加工の凹凸形状が連続するカバー、光源ユニット及び照明器具を提供することを目的とする。
【課題を解決するための手段】
【０００８】
本発明に係るカバー、光源ユニット及び照明器具は、光源から出射される光の光軸上に配置されるとともに、光の出射方向の少なくとも光軸に平行な第１の垂直面を備え、光の配光を制御する第１制御凸部が第１の垂直面に形成されたベースカバーと、ベースカバーの両端を覆い、光の配光を制御する第２制御凸部が形成された端部カバーと、を備え、第１制御凸部及び第２制御凸部は、ベースカバーと端部カバーとを嵌合させると凹凸形状が連続する形状となるように形成されることを特徴とする。
【発明の効果】
【０００９】
本発明によれば、ベースカバーに形成された第１制御凸部と端部カバーに形成された第２制御凸部を嵌合した際に、第１制御凸部と第２制御凸部の凹凸形状が連続するように配置したことにより、カバーの側面から出射される光の配光特性と端部から発する光の配光特性に連続性を持たせることができる。
【図面の簡単な説明】
【００１０】
【図１】実施の形態１に係る照明器具を示す全体斜視図である。
【図２】実施の形態１に係る本体ユニット及びカバーを示す斜視図である。
【図３】実施の形態１に係るフレームの斜視図である。
【図４】実施の形態１に係るベースカバーのＡ−Ａ断面図である。
【図５】実施の形態１に係る光源ユニットの配光制御の態様を示すＡ−Ａ断面図である。
【図６】実施の形態１に係るベースカバーと嵌合する面を正面とした端部カバーの正面図である。
【図７】実施の形態１の比較例に係るカバーに形成されたプリズム形状を示す分解斜視図である。
【図８】実施の形態１の比較例に係るカバーのＢ−Ｂ断面図である。
【図９】実施の形態１の比較例に係るカバーのＣ−Ｃ断面図である。
【図１０】実施の形態１に係る意匠性を考慮したカバーに形成されたプリズム形状を示す分解斜視図である。
【図１１】実施の形態１に係る意匠性を考慮した端部カバーの斜視図である。
【図１２】実施の形態１に係る意匠性を考慮したカバーのＣ−Ｃ断面図である。
【図１３】実施の形態２に係るカバーに形成されたプリズム形状を示す分解斜視図である。
【図１４】実施の形態２に係る端部カバーが離隔されたカバーのＢ−Ｂ断面図である。
【図１５】実施の形態２に係る端部カバーの切欠片を示す斜視図である。
【図１６】実施の形態２に係るカバーのＢ−Ｂ断面図である。
【図１７】実施の形態３に係るカバーに形成されたプリズム形状を示す分解斜視図である。
【図１８】実施の形態４に係るカバーに形成されたプリズム形状を示す斜視図である。
【発明を実施するための形態】
【００１１】
実施の形態１．
本実施の形態では、本発明に係る照明器具の一例として、天井等の被取付面に取り付けられる照明器具１００について説明する。以下の説明において、便宜上、天井面側（被取付面側）である照明器具１００の長手方向及び短手方向と直交する本体ユニット１０１から光源ユニット１０３に向かう向きを下方とし、反対の向きを上方として説明を行う。また上下方向を垂直方向とし、上下方向に垂直な面のいずれかの方向を水平方向として説明を行う。水平方向は、被取付面に平行な方向である。
【００１２】
まず図１〜３を用いて、本実施の形態の照明器具１００の全体構成を説明する。照明器具１００は、被取付面に直接取り付けられる本体ユニット１０１及び本体ユニット１０１に取り付けられる光源ユニット１０３を備える。光源ユニット１０３は、光源１０８が配置された基板１０９、基板１０９を取り付けたフレーム１０７及び光源１０８が発する光を配光制御するカバー１０２を備える。
カバー１０２は、光源１０８の光軸上に配置され、光源１０８の出射方向を覆う。
光源１０８は、光を出射する発光素子であり、例えばＬＥＤである。光源１０８は、表面実装タイプのＬＥＤ、ＣＯＢ型ＬＥＤモジュール、有機ＥＬ素子またはレーザーダイオードのいずれでもよい。
基板１０９は、長方形状の板状の部材であり、光源１０８を点灯させるための図示しない回路素子及び図示しないコネクタを備える。
【００１３】
図２、４を用いて、カバー１０２及び光源ユニット１０３の構成を説明する。カバー１０２は、下面及び光源１０８の光軸ＯＰに垂直な面である長手側面を覆うとともにフレーム１０７を収納するベースカバー１０４及びベースカバー１０４の長手方向の両端に嵌合された端部カバー１０６を備える。フレーム１０７は、カバー１０２の上部に長手方向から収納され、カバー１０２と共に光源ユニット１０３を構成する。
【００１４】
・ベースカバー
図４を用いてベースカバー１０４の形状について説明する。図４は、図２のＡ−Ａで示される切断面を照明器具１００の長手方向から見た断面図である。ベースカバーは、長尺状に形成される。ベースカバー１０４は、長手側面として正面側の垂直面と正面側の垂直面に対向する背面側の垂直面とを備える。
光源１０８の光軸ＯＰの方向であるベースカバー１０４の長手側面の内側には、第１プリズム１０４ａ、１０４ｂが水平方向に連続して形成されている。ベースカバー１０４の下面の内側には、第４プリズム１０４ｃが形成されている。
第１プリズム１０４ａ、１０４ｂは、光源１０８から出射されベースカバー１０４の長手側面に入射する光を配光制御する。第４プリズム１０４ｃは、ベースカバー１０４の下面に入射する光を配光制御する。
第１プリズム１０４ａ、１０４ｂ及び第４プリズム１０４ｃは、ベースカバー１０４の長手方向の両端まで長手方向に連続して形成されている。
このように、第１プリズム１０４ａ、１０４ｂ及び第４プリズム１０４ｃの短手方向の断面形状を長手方向の両端まで連続して形成する構成とすることにより、長尺上のベースカバー１０４を押し出し成形等の製造方法を用いて安価に連続成形することができる。
【００１５】
ベースカバー１０４の長手側面に形成された第１プリズム１０４ａ及び１０４ｂは、光源１０８から遠ざかりベースカバー１０４の下面に近づくにつれ、第１プリズム１０４ａ及び１０４ｂの凹部が大きくなるよう形成されている。光源１０８から出射される光は、下面に近づくにつれベースカバー１０４への投影面積が大きくなる。したがって、第１プリズム１０４ａ及び１０４ｂが、光源１０８から遠ざかりベースカバー１０４の下面に近づくにつれ、第一プリズム１０４ａ及び１０４ｂの凹部が大きくなるよう形成されていることにより、光源１０８から出射される光の分布むらを抑制しより均一化されるように配光制御することができる。
【００１６】
ベースカバー１０４の下面に形成された第４プリズム１０４ｃは、凹レンズの機能を有しており、ベースカバー１０４の下面から出射される光源１０８が発する光が広がるように拡散させる。このようにベースカバー１０４の下面形状を形成することにより、光源ユニット１０３からベースカバー１０４の下面に出射される光の配光特性の分布むらを抑制し、より均一化されるように配光制御することができる。
【００１７】
ベースカバー１０４の長手側面の上面側の短手方向の両端部には、カバー溝部１０４ｄがベースカバー１０４の長手側面、ベースカバー１０４の短手方向内側に延伸された上面部及びフレーム収納部１０４ｅで囲まれるように形成される。カバー溝部１０４ｄは、長手方向端部で端部カバー１０６の溝部嵌合部１０６ｂと嵌合する。フレーム収納部１０４ｅは、カバー溝部１０４ｄの短手方向端部から中心寄りの箇所から上方に向かって垂直に延伸するように形成される。図４に示すように、上方に延伸されたフレーム収納部１０４ｅと短手方向の両端部に向かって延伸するカバー溝部１０４ｄは、Ｊ字またはＬ字の断面形状である。
上方に向かって垂直に延伸されたフレーム収納部１０４ｅの上側端部は、９０度方向を変え、光軸ＯＰ方向である短手方向の中心側に向かって水平方向に延伸される。一対のフレーム収納部１０４ｅの水平方向に延伸された端部は、スリットが貫通して形成されるように長手方向に延伸される。
【００１８】
一対のフレーム収納部１０４ｅの間には、リフレクタ１０５及び光源１０８が配置された基板１０９を取り付けたフレーム１０７が長手方向からスライドして挿入される。
リフレクタ１０５は、光源１０８の出射光を反射させるリフレクタ板１０５ａを備える。リフレクタ板１０５ａに挟まれたリフレクタ１０５の短手側中央に位置するリフレクタ中央部１０５ｂは、光源１０８の出射光を通過させる。リフレクタ中央部１０５ｂは、開口又は透明板のいずれの構成としてもよい。
【００１９】
なお、ベースカバー１０４は、押し出し成形によって一体的に形成されてもよく、射出成形によって形成された各部材を接着剤で貼り付けることによって一体的に形成されてもよい。ベースカバー１０４は、アクリルやポリカーボネート等の光を透過する透明な材料で形成されている。材料の屈折率は、例えば１．４以上１．７以下である。
【００２０】
カバー１０２及びフレーム１０７から構成される光源ユニット１０３は、本体ユニット１０１に着脱自在に取り付けられる。光源ユニット１０３を本体ユニット１０１に取り付ける手段は、光源ユニット１０３に設けたバネと本体ユニット１０１に設けた引っ掛け金具により係合する構成でもよいし、ネジ又はボルトによる締結としてもよい。
【００２１】
次に図５を用いて、光源ユニット１０３による光源１０８から出射された光の進行方向を制御する配光制御について説明する。図５は、図２のＡ−Ａ断面で示される第１プリズム１０４ａが形成されたベースカバー１０４の長手側面の断面形状及び光の進行方向を照明器具１００の長手方向から見た断面図である。
光源１０８から出射される光の入射面である、ベースカバー１０４の長手側面の内側に形成された第１プリズム１０４ａは、ベースカバー１０４の長手側面の外側の面と平面視で角度をなして形成された第１の入射面１０４ｉ、第１の入射面１０４ｉから更に短手方向の内側に突出した上面側に形成された第２の入射面１０４ｊ、第１の入射面１０４ｉから更に短手方向の内側に突出した下面側に形成された反射面１０４ｋ及びベースカバー１０４の長手側面の外側の面である出射面１０４ｌを備える。
【００２２】
まず、第１の入射面１０４ｉに入射する光路Ａを進む光について説明する。光源１０８から出射され第１の入射面１０４ｉに入射した光は、出射面１０４ｌ側に屈折し、ベースカバー１０４内の媒質を進む。そして、出射面１０４ｌから照明器具１００の下方に出射する。この時、出射面１０４ｌから出射する光の鉛直角は、第１の入射面１０４ｉに入射する光の鉛直角よりも小さくなる。このようにして第１の入射面１０４ｉに入射した光は、照明器具１００の下方向に集光されるように配光制御される。
【００２３】
次に、第２の入射面１０４ｊに入射する光路Ｂを進む光について説明する。光源１０８から出射され第２の入射面１０４ｊに入射した光は、第２の入射面１０４ｊの下側に位置する反射面１０４ｋ側に屈折し、第１プリズム１０４ａ内の媒質を進む。そして、第２の入射面１０４ｊに入射した光は、反射面１０４ｋで反射し、短手側外側且つ上方に向かう。第２の入射面１０４ｊに入射した光は、出射面１０４ｌから照明器具１００の上方に出射する。このようにして第２の入射面１０４ｊに入射した光は、照明器具１００の上方に位置する被取付面の周囲を照射するよう配光制御される。
【００２４】
・端部カバー
次に、図６を用いて端部カバー１０６の形状を説明する。図６（ａ）は、端部カバー１０６の全体正面図であり、図６（ｂ）は、端部カバー１０６の右端Ａ部の拡大正面図である。
光源１０８から出射される光の入射面である端部カバー１０６のベースカバー１０４と嵌合する側の面には、第２プリズム１０６ａが形成されている。第２プリズム１０６ａの上部には、ベースカバー１０４のカバー溝部１０４ｄと嵌合する溝部嵌合部１０６ｂ及びリフレクタ１０５を光源ユニット１０３の長手方向の両端で挟持するリフレクタ係止部１０６ｃが形成されている。第２プリズム１０６ａは、端部カバー１０６に入射した光を配光制御する。
ベースカバー１０４に形成された第１プリズム１０４ａ、１０４ｂと端部カバー１０６に形成された第２プリズム１０６ａの配光特性に連続性を持たせるため、第２プリズム１０６ａの凹凸形状は、端部カバー１０６をベースカバー１０４に嵌合させた時に第１プリズム１０４ａ、１０４ｂの凹凸形状と連続するように形成されている。
【００２５】
このように、ベースカバー１０４と端部カバー１０６を嵌合した時にカバー１０２に形成された第１プリズム１０４ａ、１０４ｂの凹凸形状と端部カバー１０６に形成された第２プリズム１０６ａの凹凸形状が連続するように形成されることにより、カバー１０２の長手側面から発する光の配光特性と長手方向端部から発する光の配光特性に連続性を持たせることができる。これにより、照明器具１００から出射される光に統一感が生じる。
また、第１プリズム１０４ａ、１０４ｂと第２プリズム１０６ａを光源１０８から出射される光の入射面であるカバー１０２の内面に形成する構成としたことにより、プリズムにほこりがつきにくくなりカバー１０２が清掃しやすくなる。
【００２６】
次に、端部カバー１０６に形成された第２プリズム１０６ａの幅について説明する。第２プリズム１０６aを端部カバー１０６の両端まで形成した場合、端部カバー１０６をベースカバー１０４に嵌合しようとするとベースカバー１０４に配設された第１プリズム１０４ａ、１０４ｂと干渉する。
そこで第１プリズム１０４ａ、１０４ｂと第２プリズム１０６との干渉を避けるために、第１プリズム１０４ａ、１０４ｂのプリズム頂部１０４ｐの高さ分だけ、端部カバー１０６の両端にプリズム加工を施さない領域を設け、第２プリズム１０６ａの幅を狭くすることが考えられる。
【００２７】
図７は、本発明の比較例における端部カバー５０６に形成された第２プリズム５０６ａとベースカバー５０４に形成された第１プリズム５０４ｂを模式的に示す分解斜視図である。図７において、左側の端部カバー５０６が右側のベースカバー５０４に嵌合する。端部カバー５０６は、第２プリズム５０６ａが形成された右端側の一部のみを図示している。図７のベースカバー５０４は、第１プリズム５０４ｂが形成された長手側面の一部のみを図示している。また、第１プリズム５０４ｂ及び第２プリズム５０６ａの形状は模式的に三角柱としている。
【００２８】
第１プリズム５０４ｂは、ベースカバー５０４の長手側の端部まで形成されている。そのため、端部カバー５０６に形成される第２プリズム５０６ａは、第１プリズム５０４ｂと干渉しないよう、端部カバー５０６の右端からベースカバー５０４の側面の厚さｔ１に第１プリズム５０４ａの頂部高さｔ２を加えたｔ１＋ｔ２分内側に第２プリズム５０６ａを形成しない矩形の領域を設ける。
【００２９】
図８を用いて、図７に示す第２プリズム５０６ａの幅を狭くした端部カバー５０６を用いて構成した比較例であるカバー５０２のプリズム形状を説明する。図８は、図４に示すＢ−Ｂで示される切断面をカバー５０２の上方から見た断面図である。図８に示すように、光源１０８側である上方から見た場合、カバー１０２の第１プリズム５０４ａ、５０４ｂが第２プリズム５０６ａと隙間なく連続しているように見える。しかし、カバー５０２をＢ−Ｂ断面と異なる方向から見ると、以下に説明するように第１プリズム５０４ａ、５０４ｂと第２プリズム５０６ａとの間に隙間５０６ｄが存在する。
【００３０】
図９は、比較例のカバー５０２の図２のＣ−Ｃ断面で示される切断面をカバー５０２の長手方向の中央側から見た断面図である。図９に示すように、ベースカバー５０４に形成された第１プリズム５０４ａ、５０４ｂの断面と、端部カバー５０６に形成された第２プリズム５０６ａによる横長の略長方形の縞模様との間に、隙間５０６ｄが存在する。隙間５０６ｄは、カバー５０２のプリズムが形成されていない領域である。隙間５０６ｄにより、第１プリズム５０４ａ、５０４ｂと第２プリズム５０６ａとの連続性が損なわれている。この隙間５０６ｄによる不連続な箇所は、カバー５０２の長手方向の端部それぞれに２箇所、計４箇所あり、カバー５０２のコーナー部の意匠性が悪化している。
【００３１】
この比較例のカバー５０２のプリズムの不連続性を解消するために、本実施の形態におけるベースカバー１０４に形成された第１プリズム１０４ａ、１０４ｂの形状を変えずに端部カバー１０６に形成された第２プリズム１０６ａの形状をより意匠性を考慮した形状に修正する。
図１０は、本実施の形態における意匠性を考慮して端部カバー１０６に形成された第２プリズム１０６ａとベースカバー１０４に形成された第１プリズム１０４ｂを模式的に示す分解斜視図である。図１０において、端部カバー１０６がベースカバー１０４と嵌合する。図１０の端部カバー１０６は、第２プリズム１０６ａが形成された側面の一部のみを図示している。図１０のベースカバー１０４も同様に、第１プリズム１０４ｂが形成された側面の一部のみを図示している。また、第２プリズム１０６ａ及び第１プリズム１０４ｂの形状を模式的に略三角柱として図示している。
【００３２】
図１０に示すように比較例と同様に本実施の形態においても、端部カバー１０６に形成された第２プリズム１０６ａがベースカバー１０４に形成された第１プリズム１０４ｂと干渉しないように、端部カバー１０６の短手方向両端には第２プリズム１０６ａを形成しない領域が設けられている。
しかし図１０では、図７と図８に示した比較例のように、端部カバー１０６に形成した第２プリズム１０６ａの幅をベースカバー１０４の側面の高さに加えて第１プリズム１０４ａの頂部高さだけ一律に狭めるのではなく、第１プリズム１０４ｂの略三角形の断面形状に合わせ、第２プリズム１０６ａを端部カバー１０６の幅方向に凹ませている。言い換えると、図９に示す隙間５０６ｄの分だけ、端部カバー１０６に形成した第２プリズム１０６ａの幅が端部カバー１０６の短手方向両端側に延伸されている。
【００３３】
図１１は、本実施の形態における意匠性を考慮した端部カバー１０６の斜視図である。図１１（ａ）は、端部カバー１０６の全体斜視図であり、図１１（ｂ）は、端部カバー１０６の右端部を右下方から見た拡大斜視図である。図１１において、端部カバー１０６に形成された第２プリズム１０６ａは、ベースカバー１０４に形成された第１プリズム１０４ｂの頂部の形状に合わせ、右端部のプリズム頂部５０６ｐを凹ませた、即ち短手方向の中央寄りに後退させた形状となっている。図１０、図１１に示すように、端部カバー１０６に第２プリズム１０６ａを形成しない領域を設ける、即ち短手方向の中央寄りに後退させて形成することにより、図９に示す比較例のカバー５０２に生じていた隙間５０６ｄをなくすことができる。
【００３４】
図１２は、本実施の形態のカバー１０２の図２のＣ−Ｃ断面で示される切断面をカバー１０２の長手方向の中央側から見た断面図である。図１０、図１１を用いて説明したように端部カバー１０６に第２プリズム１０６ａを形成することにより、図１２に示すように図９の比較例のカバー５０２に生じていた隙間５０６ｄがなくなり、カバー１０２に連続的にプリズムが形成される。その結果、カバー１０２の長手方向側面から出射される光とカバー１０２の長手方向端部から出射される光の配光特性が隙間なく連続するため、カバー１０２から出射される光の配光特性が向上する。また、カバー１０２を備えた光源ユニット１０３又は照明器具１００の意匠性が向上する。
また、第１プリズム１０４ａ、１０４ｂと第２プリズム１０６ａを光源１０８から出射される光の入射面であるカバー１０２の内面側に形成したことにより、プリズムへのほこりの付着が抑制され、カバー１０２が清掃しやすくなる。
【００３５】
なお本実施の形態では、カバー１０２に形成するプリズムの断面形状を略三角形のクサビ形状としたが、所望の配光特性を得るため他のプリズム断面形状を例えば円弧面を組み合わせたドーム形状やシリンドリカルレンズ形状としてもよい。
【００３６】
実施の形態２．
実施の形態１のカバー１０２に代えて、ベースカバー２０４にの内面に形成された第１プリズム２０４ａ、２０４ｂの長手方向両端に平面視で長手方向と角度をなす第１の突合せ面２０４ｆが形成されるとともに端部カバー２０６の嵌合側の面に形成された第２プリズム２０６ａの短手方向両端に平面視で短手方向と角度をなす及び第２の突合せ面２０６ｆが形成されたカバー２０２の構成としてもよい。本実施の形態では、カバー２０２の構成を図１３〜図１６を用いて説明する。図１３〜図１６において、実施の形態１と同一または相当の構成については、同一の符号を付す。
【００３７】
図１３は、本実施の形態における端部カバー２０６に形成された第２プリズム２０６ａとベースカバー２０４に形成された第１プリズム２０４ｂを模式的に示す分解斜視図である。図１３において、端部カバー２０６がベースカバー２０４に嵌合する。図１３の端部カバー２０６は、第２プリズム２０６ａが形成された右側の一部のみを図示している。図１３のベースカバー２０４は、第１プリズム２０４ｂが形成された側面の一部のみを図示している。また、プリズム形状は模式的に略三角柱としている。
【００３８】
本実施の形態は、端部カバー２０６に形成する第２プリズム２０６ａがベースカバー２０４に形成する第１プリズム２０４ａ、２０４ｂと干渉しないよう、ベースカバー２０４の第１プリズム２０４ａ、２０４ｂの長手方向両端に平面視で長手方向と角度をなす第１の突合せ面２０４ｆを形成することを特徴とする。同様に端部カバー２０６の第２プリズム２０６ａの短手方向両端に平面視で短手方向と角度をなす第２の突合せ面２０６ｆを形成することによりベースカバー２０４及び端部カバー２０６を嵌合させると第１の突合せ面２０４ｆと第２の突合せ面２０６ｆとが当接することを特徴とする。
【００３９】
図１４を用いて、ベースカバー２０４の長手方向端部及び短部カバーの短手方向端部に第１の突合せ面２０４ｆ、第２の突合せ面２０６ｆを形成する方法を説明する。
図１４は、図４のＢ−Ｂで示される切断面を端部カバー２０６が離隔されたカバー２０２の上方から見た図である。図１４に示すように、ベースカバー２０４に形成された第１プリズム２０４ａ、２０４ｂと端部カバー２０６に形成された第２プリズム２０６ａとが干渉しないよう、図１４の斜線部で示す第１プリズム切欠部２０４ｇと、第２プリズム切欠部２０６ｇを切り欠くことを考える。
第１プリズム切欠部２０４ｇを上方からみた切り欠き角度α、βは、ベースカバー２０４の短手方向端部から第１プリズム２０４ａ，２０４ｂの中央方向への最大突出部長さを一辺とし、端部カバー２０６の長手方向端部から第２プリズム２０６ａの長手方向中央方向への最大突出部の長さを異なる一辺として構成される矩形の端部カバー２０６の長手方向端部と平行な辺と矩形の対角線とが成す角度と等しい。カバー２０２が略長方形且つ第１プリズム２０４ａと第１プリズム２０４ｂそれぞれの短手方向中央への突出長さが等しい場合、切り欠き角度αと切り欠き角度βは等しくなる。
また、ベースカバー２０４と端部カバー２０６のプリズム部を除いた板厚が同じ場合、切欠き角度は４５度となる。
【００４０】
ベースカバー２０４の長手方向両端の第１の突合せ面２０４ｆ及び端部カバー２０６の短手方向両端の第２の突合せ面２０６ｆは、押し出し成形後の切欠き加工により形成することができる。図１５は、本実施の形態における端部カバー２０６の切欠き加工により生じた第２プリズム切欠部２０６ｇを模式的に示す斜視図である。図１５に示す第２プリズム切欠部２０６ｇにおいて、ベース部２０６ｍと第２プリズム部２０６ｎは、連続した１つの平面を形成する。同様に、ベースカバー２０４の側面と第１プリズム２０４ａ、２０４ｂの切欠き部は連続した１つの平面を形成する。ベースカバー２０４と端部カバー２０６に切欠き加工することにより、ベースカバー２０４の長手方向両端の第１の突合せ面２０４ｆ及び端部カバー２０６の短手方向両端の第２の突合せ面２０６ｆを容易に形成することができる。
また、ベースカバー２０４及び端部カバー２０６は、射出成形により第１の突合せ面２０４ｆ、第２の突合せ面２０６ｆを成形してもよい。この場合、ベースカバー２０４を構成する際に複数の射出成形品を接着する接着工程が必要となる一方、第１プリズム切欠部２０４ｇを切り欠く切欠き加工の工程を省くことができる。
【００４１】
図１６を用いて、本実施の形態のカバー２０２のプリズム形状を説明する。図１６は、本実施の形態におけるカバー２０２のＢ−Ｂ断面の模式図である。第１の突合せ面２０４ｆと第２の突合せ面２０６ｆとが突き合わされている。
このようにベースカバー２０４の第１プリズム２０４ａ、２０４ｂの長手方向両端に長手方向と角度をなす第１の突合せ面２０４ｆを形成し、端部カバー２０６の第２プリズム２０６ａの短手方向両端に短手方向と角度をなす第２の突合せ面２０６ｆを形成することにより、図１６に示すように端部カバー２０６をベースカバー２０４に嵌合させた際、第１の突合せ面２０４ｆと第２の突合せ面２０６ｆが干渉することなく突き合わされ、カバー２０２に連続的にプリズムが形成される。その結果、カバー２０２から出射される光の配光特性が長手方向から端部にかけての連続性が向上し、光源ユニット２０３又は照明器具２００の意匠性が向上する。
【００４２】
また、第１の突合せ面２０４ｆと第２の突合せ面２０６ｆの当接面が実施の形態１よりも単純な面である平面となるため、第１の突合せ面２０４ｆと第２の突合せ面２０６ｆ間での不要な乱反射が抑制され、第１プリズム２０４ａ、２０４ｂと第２プリズム２０６ａの連続性及びカバー２０２の意匠性が向上する。
更に、第１プリズム２０４ａ、２０４ｂ及び第２プリズム２０６ａをカバー２０２の内面に形成したことにより、プリズムにほこりがつきにくくなりカバー２０２が清掃しやすくなる。
【００４３】
本実施の形態では、ベースカバー２０４と端部カバー２０６とが平面視で９０度の角度で嵌合させる場合を一例として説明したが、２０４をベースカバーに限定せず第１の側壁を有する第１のカバー部材とし、２０６を端部カバーに限定せず第２の側壁を有する第２のカバー部材とする構成としてもよい。
この場合、第１のカバー部材２０４と第２のカバー部材２０６を嵌合させてカバー２０２を構成する際の嵌合する角度は９０度に限らない。嵌合する角度を９０度以外の角度とすることにより、カバー２０２の形状を略長方形に限定することなく、矩形以外の四角形や三角形、六角形、八角形などの多角形から自由に選択することができる。
【００４４】
このように、第１のカバー部材２０４と第２のカバー部材２０６を嵌合させてカバー２０２を構成することにより、第１プリズム２０４、２０４ｂと第２プリズム２０６ａがカバー２０２内で隙間なく連続するため、出射される光の配光特性が向上したカバー２０２を得ることができる。また、カバー２０２を備えた光源ユニット２０３又は照明器具２００の意匠性が向上する。
【００４５】
実施の形態３．
実施の形態１、２のカバー１０２、２０２に代えて、ベースカバー３０４及び端部カバー３０６に挟持されることによって、ベースカバー３０４と端部カバー３０６を相互に連結する把持部材であるコーナー部カバー３１０を備えたカバー３０２を構成してもよい。
本実施の形態ではベースカバー３０４の水平方向両端部と端部カバー３０６の水平方向両端部及びコーナー部カバー３１０の水平方向両端部に第１の突合せ面３０４ｆ、第２の突合せ面３０６ｆ及び第３の突合せ面３１０ｆがそれぞれ形成される。またコーナー部カバー３１０の光源１０８から出射される光の入射面である内面には、第３プリズム３１０ａが形成される。
【００４６】
本実施の形態では、コーナー部カバー３１０を挟持したベースカバー３０４と端部カバー３０６との連結状態において、第１プリズム３０４ａ、３０４ｂと第３プリズム３１０ａとの凹凸形状が連続するとともに、第３プリズム３１０ａと第２プリズム３０６ａとの凹凸形状が連続することを特徴とする。
本実施の形態では、図１７を用いてカバー３０２の構成を説明する。図１７において、実施の形態１、２と同一または相当の構成については同一の符号を付す。
【００４７】
図１７は、本実施の形態のカバー３０２の一部を模式的に示す分解斜視図である。本実施の形態では、端部カバー３０６とベースカバー３０４とがコーナー部カバー３１０を挟持することを特徴とする。
ベースカバー３０４には第１プリズム３０４ａ（図示せず）、３０４ｂが形成される。ベースカバー３０４の長手方向端部には、第１の突合せ面３０４ｆが形成される。同様に端部カバー３０６には、第２プリズム３０６ａが形成される。端部カバー３０６の短手方向両端部には、第２の突合せ面３０６ｆが形成される。コーナー部カバー３１０には、第３プリズム３１０ａが形成される。コーナー部カバー３１０の両端には、第３の突合せ面３１０ｆが形成される。
図１７では、第１プリズム３０４ａ、第２プリズム３０６ａ及び第３プリズム３１０ａの形状を模式的に略三角柱としている。
【００４８】
端部カバー３０６とベースカバー３０４とがコーナー部カバー３１０を挟持すると、第１の突合せ面３０４ｆと第３の突合せ面３１０ｆとが当接する。また第２の突合せ面３０６ｆと第３の突合せ面３１０ｆとが当接する。第１の突合せ面３０４ｆ、第２の突合せ面３０６ｆ及び第３の突合せ面３１０ｆは、突起を有する継ぎ手形状としている。
このように、カバー３０２の第２プリズム３０６ａ、第３プリズム３１０ａ及び第１プリズム３０４ａ、３０４ｂが連続するようにプリズムが形成されることにより、カバー３０２の各々の接続部から出射される光の配光特性が向上し、各々の接続部から出射される光に統一感が生ずる。また、カバー３０２を備えた光源ユニット３０３又は照明器具３００の意匠性が向上する。
【００４９】
更にカバー３０２を端部カバー３０６とベースカバー３０４とがコーナー部カバー３１０を挟持する構成とすることにより、コーナー部に応力が加わった場合であっても、カバー３０２が変形しにくい構造とすることができる。
【００５０】
図１７では、第１の突合せ面３０４ｆ、第２の突合せ面３０６ｆ及び第３の突合せ面３１０ｆを継ぎ手形状としているが、それぞれの突合せ面を平面としてもよい。その場合、第２プリズム３０６ａと第３プリズム３１０ａと第１プリズム３０４ａとを各々のカバー部材の端部まで形成した構成が可能となるため、各々のカバー部材を押し出し成形で連続成形しやすい形状とすることができる。
【００５１】
図１７に示すカバー３０２は、ベースカバー３０４と端部カバー３０６が平面視で９０度の角度をなし、コーナー部カバー３１０を介して嵌合する平面視で矩形の形状である。
この構成に替えて、図１７の３０４をベースカバーに限定せず略垂直な第１の側壁を有する第１のカバー部材とし、３０６を端部カバーに限定せず略垂直な第２の側壁を有する第２のカバー部材とする構成としてもよい。この場合、第１のカバー部材３０４と第２のカバー部材３０６とコーナー部カバー３１０を介して嵌合するコーナー部が成す角度は平面視で９０度に限定されない。嵌合する角度を平面視で９０度以外の角度とすることにより、カバー３０２の形状は平面視で矩形の形状に限定されない。カバー３０２は、平面視で長方形以外の四角形でもよいし、三角形、六角形、八角形などの多角形でもよい。更に第１のカバー部材３０４と第２のカバー部材３０６を共通化し、第１のカバー部材３０４、第２のカバー部材３０６及びコーナー部カバー３１０を複数組み合わせてカバー３０２を構成してもよい。
【００５２】
このように、コーナー部カバー３１０の平面視のコーナー角度を変えてカバー３０２を構成することにより、カバー部材が成す角度を変えて別形状とすることが容易であり、且つ第１プリズム３０４ａ、３０４ｂ、第２プリズム３０６ａ及び第３プリズム３１０ａから出射される光の配光特性が向上したカバー３０２を構成することができる。
【００５３】
実施の形態４．
実施の形態１〜３のカバー１０２、２０２、３０２に代えて、光源１０８から出射される光の出射面であるカバーの外側の面にプリズムが形成されたカバー４０２の構成としてもよい。本実施の形態では、図１８を用いてカバー４０２の構成を説明する。図１８において、実施の形態１〜３と同一または相当の構成については同一の符号を付す。
【００５４】
図１８は、本実施の形態におけるカバー４０２を示す斜視図である。図１８に示すように、第１プリズム４０４ａ、４０４ｂ（図示せず）がベースカバー４０４の外側の面に形成されるとともに、第２プリズム４０６ａが端部カバー４０６の外面に形成されている。図１７では、ベースカバー４０４の下面に形成された第４プリズム４０４ｃは省略されている。ベースカバー４０４の下面に形成された第４プリズム４０４ｃは、側面に形成した第１プリズム４０４ａ、４０４ｂ及び第２プリズム４０６ａのいずれにも嵌合時に干渉しないため、ベースカバー４０４の内面、外面のどちらの面に形成してもよい。
【００５５】
このように、第１プリズム４０４ａ、４０４ｂ及び第２プリズム４０６ａをカバー４０２の外面に形成することにより、第１プリズム４０４ａ、４０４ｂをベースカバー４０４の長手方向両端まで形成しても、第１プリズム４０４ａ、４０４ｂと第２プリズム４０６ａとが嵌合時に干渉しない。同様に第２プリズム４０６ａを端部カバー４０６の短手方向両端まで形成しても、第１プリズム４０４ａ、４０４ｂと第２プリズム４０６ａとが嵌合時に干渉しない。
このため、押出成形等の連続成形によりカバー部材の端部までプリズムを形成したカバー部材を用いて、出射される光の配光特性及び意匠性が向上したカバー４０２を構成することができる。また、カバー４０２を備えた光源ユニット４０３又は照明器具４００の意匠性が向上する。
【００５６】
なお、本実施の形態ではベースカバー４０４及び端部カバー４０６から光源１０８から出射される光の出射面である外面にプリズムを形成する構成を示したが、実施の形態２のカバー２０２において第１のカバー部材２０４及び第２のカバー部材２０６の光源１０８から出射される光の出射面である外面にプリズムを形成する構成としてもよい。その場合、プリズムの物理的な干渉を考慮することなく平面視でカバー部材が成す角度を変えて平面視で矩形でない別形状のカバーを構成することが容易であり、且つ出射される光の配光特性が向上したカバー４０２を構成することができる。また、カバー４０２を備えた光源ユニット４０３又は照明器具４００の意匠性が向上する。
【００５７】
また、実施の形態３においてベースカバー３０４、端部カバー３０６及びコーナー部カバー３１０の光源１０８から出射される光の出射面である外面にプリズムを形成する構成としてもよい。その場合、プリズムの物理的な干渉を考慮することなくコーナー部に応力がかかった場合であっても、カバー４０２が変形しにくい構造とすることができる。
【符号の説明】
【００５８】
１００、２００、３００、４００  照明器具、１０１  本体ユニット、１０２、２０２、３０２、４０２、５０２  カバー、１０３、２０３  ３０３  ４０３  光源ユニット、１０４、２０４、３０４、４０４、５０４  ベースカバー（第１のカバー部材）、１０４ａ、２０４ａ、３０４ａ、４０４ａ、５０４ａ  第１プリズム、１０４ｂ、２０４ｂ、３０４ｂ、４０４ｂ、第１プリズム、１０４ｃ、４０４ｃ  第４プリズム、２０４ｆ、３０４ｆ  第１の突合せ面１０６、２０６、３０６、４０６、５０６  端部カバー（第２のカバー部材）、１０６ａ、２０６ａ、３０６ａ、４０６ａ、５０６ａ  第２プリズム、２０６ｆ、３０６ｆ  第２の突合せ面、１０８  光源、３１０  コーナー部カバー、３１０a  第３プリズム、３１０ｆ  第３の突合せ面。
【図１】
2019197693.tif 000003
【図２】
2019197693.tif 000004
【図３】
2019197693.tif 000005
【図４】
2019197693.tif 000006
【図５】
2019197693.tif 000007
【図６】
2019197693.tif 000008
【図７】
2019197693.tif 000009
【図８】
2019197693.tif 000010
【図９】
2019197693.tif 000011
【図１０】
2019197693.tif 000012
【図１１】
2019197693.tif 000013
【図１２】
2019197693.tif 000014
【図１３】
2019197693.tif 000015
【図１４】
2019197693.tif 000016
【図１５】
2019197693.tif 000017
【図１６】
2019197693.tif 000018
【図１７】
2019197693.tif 000019
【図１８】
2019197693.tif 000020